【手続補正書】
【提出日】平成28年4月13日(2016.4.13)
【手続補正１】
【補正対象書類名】特許請求の範囲
【補正対象項目名】全文
【補正方法】変更
【補正の内容】
【特許請求の範囲】
【請求項１】
リーダ部を有し、利用者が携行するＩＣカードのカード識別情報を読み取ることにより第１動作を行う第１装置と、
情報の書き込み及び消去が可能であり書き込んだ情報を前記第１装置の前記リーダ部によって読み取りが可能な第１記憶領域と、前記カード識別情報を記憶するカード識別情報領域と、を有する前記ＩＣカードと、
に対して通信可能な受付装置であって、
リーダライタ部と、
前記ＩＣカードの利用開始受付時の操作に応じて、前記リーダライタ部を制御して、前記ＩＣカードの前記カード識別情報領域に記憶された前記カード識別情報を読み取り、そのカード識別情報を前記第１記憶領域に書き込ませる第１処理を行う第１カード処理部と、
を備えること、
を特徴とする受付装置。
【請求項２】
請求項１に記載の受付装置において、
前記ＩＣカードは、前記ＩＣカードの利用開始受付前において、前記第１記憶領域に、前記カード識別情報を記憶していないか、又は前記第１装置の所定の動作を許可しないデータを記憶しており、
第１カード処理部は、前記ＩＣカードの利用開始受付時の操作に応じて、前記第１処理を行うこと、
を特徴とする受付装置。
【請求項３】
請求項１又は請求項２に記載の受付装置において、
前記第１カード処理部は、利用終了受付時の操作に応じて、前記第１記憶領域に記憶されている前記カード識別情報を消去させるか、又は前記第１記憶領域に前記第１装置の所定の動作を許可しないデータを書き込ませるように前記リーダライタ部を制御すること、
を特徴とする受付装置。
【請求項４】
請求項１から請求項３までのいずれかに記載の受付装置において、
前記第１カード処理部は、前記リーダライタ部が前記カード識別情報領域の前記カード識別情報を読み取ったことを契機として書き込む処理を行うこと、
を特徴とする受付装置。
【請求項５】
請求項１から請求項４までのいずれかに記載の受付装置において、
前記ＩＣカードは、情報の書き込み及び消去が可能であり書き込んだ情報を、リーダ部を有し、前記ＩＣカードを読み取ることにより第２動作を行う第２装置の前記リーダ部によって読み取りが可能な第２記憶領域をさらに有し、
前記ＩＣカードの利用開始受付時の操作に応じて、前記リーダライタ部を制御して、前記利用者を識別する利用者識別情報を前記第２記憶領域に書き込ませる第２処理を行う第２カード処理部を備えること、
を特徴とする受付装置。
【請求項６】
請求項５に記載の受付装置において、
前記利用者に関する利用者情報と、前記利用者識別情報とを記憶する利用者情報記憶部と、
前記利用者情報の入力を受け付ける利用者情報受付部と、
前記利用者情報受付部による入力に基づいて前記利用者情報記憶部を検索して前記利用者を特定する利用者特定部と、
を備え、
前記第２カード処理部は、前記利用者特定部により特定された前記利用者の前記利用者識別情報を前記第２記憶領域に書き込ませること、
を特徴とする受付装置。
【請求項７】
請求項５又は請求項６に記載の受付装置において、
前記ＩＣカードの前記第２記憶領域は、前記ＩＣカードの利用開始受付前において、前記利用者識別情報を記憶していない状態か、又は前記第２装置の第２動作を許可しないデータを記憶しており、
前記第２カード処理部は、前記ＩＣカードの利用開始受付時の操作に応じて、前記第２処理を行うこと、
を特徴とする受付装置。
【請求項８】
請求項５から請求項７までのいずれかに記載の受付装置において、
前記第２カード処理部は、利用終了受付時の操作に応じて、前記第２記憶領域に記憶されている前記利用者識別情報を消去させるか、又は前記第２記憶領域に前記第２装置の第２動作を許可しないデータを書き込ませるように前記リーダライタ部を制御すること、
を特徴とする受付装置。
【請求項９】
請求項５から請求項８までのいずれかに記載の受付装置において、
前記第２カード処理部は、前記第１カード処理部による前記第１処理と同時に、前記第２処理を行うこと、
を特徴とする受付装置。
【請求項１０】
請求項１から請求項９までのいずれかに記載の受付装置において、
前記ＩＣカードは、前記利用者に貸出可能な貸出用カードであり、
前記利用者に関する利用者情報と、前記利用者を識別する利用者識別情報とを記憶する利用者情報記憶部と、
前記ＩＣカードの前記カード識別情報を記憶する貸出用カード記憶部と、
前記利用者情報の入力を受け付ける利用者情報受付部と、
前記利用者情報受付部による入力に基づいて前記利用者情報記憶部を検索して前記利用者を特定する利用者特定部と、
前記利用者に貸出する前記ＩＣカードに対応する一の前記カード識別情報を、前記貸出用カード記憶部から取得する貸出用カード取得部と、
を備え、
前記第１カード処理部は、前記貸出用カード取得部により前記一のカード識別情報が取得されたことに応じて、前記一のカード識別情報を有する前記ＩＣカードに前記第１処理を行い、
前記利用者が所有するＩＣカードである本カードを用いることにより前記第１装置に第１動作を行わせないように、前記第１装置に前記利用者識別情報を送信する貸出処理部を備えること、
を特徴とする受付装置。
【請求項１１】
リーダ部を有し、利用者が携行するＩＣカードのカード識別情報を読み取ることにより第１動作を行う第１装置と、
リーダ部を有し、前記ＩＣカードを読み取ることにより第２動作を行う第２装置と、
受付装置と、
ＩＣカードと、
からなるカード識別情報管理システムであって、
前記ＩＣカードは、
情報の書き込み及び消去が可能であり書き込んだ情報を前記第１装置の前記リーダ部によって読み取りが可能な第１記憶領域と、
前記カード識別情報を記憶するカード識別情報領域と、
前記第２装置の前記リーダ部によって読み取りが可能な第２記憶領域と、
を備え、
前記受付装置は、
リーダライタ部と、
前記ＩＣカードの利用開始受付時の操作に応じて、前記リーダライタ部を制御して、前記ＩＣカードの前記カード識別情報領域に記憶された前記カード識別情報を読み取り、そのカード識別情報を前記第１記憶領域に書き込ませる第１処理を行う第１カード処理部と、
前記ＩＣカードの利用開始受付時の操作に応じて、前記リーダライタ部を制御して、前記利用者を識別する利用者識別情報を前記第２記憶領域に書き込ませる第２処理を行う第２カード処理部と、
を備えること、
を特徴とするカード識別情報管理システム。
【請求項１２】
請求項１１に記載のカード識別情報管理システムにおいて、
前記第１装置と、前記受付装置とは、通信ネットワークを介して接続され、所定の時間間隔で通信し、
前記第１装置は、
前記第１装置の第１動作を可能とする前記カード識別情報と、第１動作を可能とする条件である付随条件情報とを関連付けて記憶する記憶部と、
前記記憶部に記憶された前記カード識別情報と、前記ＩＣカードから読み取った前記第１記憶領域に記憶されている前記カード識別情報とを照合する照合部と、
前記照合部による照合の結果、前記カード識別情報が一致する場合に、そのカード識別情報に対応する前記付随条件情報をその第１装置が満たすときには、前記第１装置の第１動作を可能とする動作許可部と、
を備え、
前記受付装置は、前記カード識別情報と、前記付随条件情報とを関連付けて送信する送信部を備え、
前記第１装置は、前記受付装置から送信された前記カード識別情報と、前記付随条件情報とを関連付けて前記記憶部に記憶させる更新部を備えること、
を特徴とするカード識別情報管理システム。
【請求項１３】
請求項１２に記載のカード識別情報管理システムにおいて、
前記ＩＣカードは、前記利用者に貸出可能な貸出用カードであり、
前記受付装置は、
前記利用者に関する利用者情報と、前記利用者を識別する利用者識別情報とを記憶する利用者情報記憶部と、
前記ＩＣカードの前記カード識別情報を記憶する貸出用カード記憶部と、
前記利用者情報の入力を受け付ける利用者情報受付部と、
前記利用者情報受付部による入力に基づいて前記利用者情報記憶部を検索して前記利用者を特定する利用者特定部と、
前記利用者に貸出する前記ＩＣカードに対応する一の前記カード識別情報を、前記貸出用カード記憶部から取得する貸出用カード取得部と、
を備え、
前記受付装置の前記第１カード処理部は、前記貸出用カード取得部により前記一のカード識別情報が取得されたことに応じて、前記一のカード識別情報を有する前記ＩＣカードに前記第１処理を行い、
前記受付装置の前記送信部は、前記利用者識別情報と、前記第１動作を不可とする条件を含む前記付随条件情報とを関連付けて送信し、
前記第１装置の前記記憶部は、前記第１装置の第１動作を可能とする前記利用者識別情報と、前記付随条件情報とを関連付けて記憶しており、
前記第１装置の前記更新部は、前記受付装置から送信された前記利用者識別情報と、前記付随条件情報とを関連付けて前記記憶部に記憶させること、
を特徴とするカード識別情報管理システム。
【請求項１４】
請求項１１から請求項１３までのいずれかに記載のカード識別情報管理システムにおいて、
前記第１装置は、利用者の通行を管理するゲートであること、
を特徴とするカード識別情報管理システム。
【請求項１５】
請求項１１から請求項１４までのいずれかに記載のカード識別情報管理システムにおいて、
前記第２装置は、
前記第２装置の第２動作を可能とする前記利用者識別情報を記憶する記憶部と、
前記記憶部に記憶された前記利用者識別情報と、前記ＩＣカードから読み取った前記第２記憶領域に記憶されている前記利用者識別情報とを照合する照合部と、
前記照合部による照合の結果、前記利用者識別情報が一致する場合に、前記第２装置の第２動作を可能とする動作許可部と、
を備えること、
を特徴とするカード識別情報管理システム。
【請求項１６】
請求項１５に記載のカード識別情報管理システムにおいて、
前記第２装置は、前記利用者識別情報が関連付けられたデータに対して処理を行う装置であること、
を特徴とするカード識別情報管理システム。
【請求項１７】
リーダライタ部を備えたコンピュータである受付装置で実行するプログラムであって、
前記受付装置を、
前記リーダライタ部を介して、利用者が携行するＩＣカードの識別情報を記憶するカード識別情報領域に記憶された前記識別情報を読み取り、前記ＩＣカードの識別情報を読み取ることにより第１動作を行う第１装置のリーダ部による読み取りが可能な第１記憶領域に読み取った前記識別情報を書き込ませる第１書き込み手段と、
前記ＩＣカードを読み取ることにより第２動作を行う第２装置の前記リーダ部による読み取りが可能な第２記憶領域に読み取った前記識別情報を書き込ませる第２書き込み手段と、
して機能させること、
を特徴とするプログラム。
【請求項１８】
請求項１７に記載のプログラムにおいて、
前記受付装置を、
前記利用者に関する利用者情報入力を受け付ける利用者情報受付手段と、
前記利用者情報受付手段による入力に基づいて前記利用者を特定する利用者特定手段と、
前記利用者特定手段により特定した前記利用者のＩＣカードの利用状況と、前記第１書き込み手段による書き込みがされた前記ＩＣカードの利用状況とを画面出力する画面出力手段と、
して機能させること、
を特徴とするプログラム。
【請求項１９】
リーダライタ部と、
前記リーダライタ部を介して、利用者が携行するＩＣカードの識別情報を記憶するカード識別情報領域に記憶された前記識別情報を読み取り、前記ＩＣカードの識別情報を読み取ることにより第１動作を行う第１装置のリーダ部による読み取りが可能な第１記憶領域に読み取った前記識別情報を書き込ませる第１カード処理部と、
前記ＩＣカードを読み取ることにより第２動作を行う第２装置の前記リーダ部による読み取りが可能な第２記憶領域に読み取った前記識別情報を書き込ませる第２カード処理部と、
前記利用者に関する利用者情報入力を受け付ける利用者情報受付部と、
前記利用者情報受付部による入力に基づいて前記利用者を特定する利用者特定部と、
前記利用者特定部により特定した前記利用者のＩＣカードの利用状況と、前記第１カード処理部による書き込みがされた前記ＩＣカードの利用状況とを画面出力する画面出力部と、
を備える受付装置。
【手続補正２】
【補正対象書類名】明細書
【補正対象項目名】発明の名称
【補正方法】変更
【補正の内容】
【発明の名称】受付装置、カード識別情報管理システム及びプログラム
【手続補正３】
【補正対象書類名】明細書
【補正対象項目名】０００１
【補正方法】変更
【補正の内容】
【０００１】
本発明は、受付装置、カード識別情報管理システム及びプログラムに関する。